(57)【特許請求の範囲】
【請求項１】
便器本体の底部に設けられて所定量の液体を一時貯溜するトラップ部と、前記便器本体に対して洗浄水を供給する洗浄水配管と、前記洗浄水配管に設けられた流量調整バルブと、前記トラップ部に貯溜された液体の圧力を検出する圧力センサと、前記流量調整バルブの開動作を制御する制御手段とを備えた小便器用洗浄システムであって、
前記制御手段は、前記圧力センサの出力から出力される液面情報に基づいて排尿か否かを判断する波形判別手段を有し、その判断結果が排尿の場合には排尿量を算出し、この算出結果に基づき、前記流量調整バルブの開度と開時間の少なくとも一方を調整するようにしたことを特徴とする小便器用洗浄システム。
【請求項２】
前記圧力センサを前記トラップ部の横に配置して、前記圧力センサの圧力導入部を直接に前記トラップ部内に接続した請求項１に記載の小便器用洗浄システム。
【請求項３】
前記圧力センサを前記トラップ部の下方に配置して、前記圧力センサの圧力導入部を直接に前記トラップ部内に接続した請求項１に記載の小便器用洗浄システム。
【請求項４】
前記制御手段が、前記トラップ部又は前記便器本体内に溜まった液体の液位に基づいて、洗浄水供給系の異常の有無を検出する検出機能と、この検出機能の検出結果に基づいて警報を出力する警報手段とを備えた請求項１乃至３の何れか一に記載の小便器用洗浄システム。
【請求項５】
前記便器本体の天面部に、前記トラップ部内に連通する配管が接続された孔部を設け、前記圧力センサを、この圧力センサの圧力導入部を前記孔部にパッキンを介して着脱可能に挿入して前記便器本体の前記天面部に設け、前記天面部にカバーを設けて前記圧力センサを覆い隠したことを特徴とする請求項１記載の小便器用洗浄システム。
【発明の詳細な説明】
【０００１】
【発明の属する技術分野】
本発明は、小便器用洗浄システムに関するものである。
【０００２】
【従来の技術】
一般に、小便器の場合には、用足しをした後に小用を受ける便器本体を洗浄するために、その便器本体の内部天面より洗浄水（一般には、通常の水が使用される）を流すようになっている。
【０００３】
そして、洗浄水を流すためには、便器本体の上部に取り付けられた小便器洗浄弁の押しボタンを使用者が押すことにより、一定量の洗浄水が流れ出た後、停止するようなものがある。しかし、そのように使用者の押し操作を開始条件にすると、使用者が押し忘れると洗浄ができない。更には、いたずら等により必要以上に何回に押しボタンが押されるおそれもあり、洗浄水が無駄に使用されてしまうという問題もある。さらに、使用後に人が押し操作する作業自体が繁雑であるという問題もある。
【０００４】
このような問題を解決するものとして、例えば、小便器の上方に赤外線センサを設置し、一定時間以上、小便器の前に人が立ち止まっている場合には、その後に人が小便器から離れたことを検知して、一定量の洗浄水を流すようにしたものがある。このような小便器用洗浄システムでは、人がいちいち押しボタンを押す必要がなく、また、使用後に人が離れると自動的に洗浄水が流れるので、洗浄のし忘れもないという利点を有する。
【０００５】
【発明が解決しようとする課題】
しかしながら、上記した赤外線センサを用いた小便器洗浄システムでは、センサ部を外部から見える位置に設置するため、わざとセンサ部の前に手等をかざした状態で一定時間おいておき、その後に、手をどかすとあたかも人が小用を足していたのと同様のセンサ出力が得られ、洗浄水が流れてしまうおそれがある。また、センサ部自体を押して破損してしまうおそれもある。このように、悪戯されやすい。
【０００６】
また、子供等の背の低い人が使用した場合には、検知できず、洗浄水を流さなければいけないところ、自動的に洗浄水を流すことができなくなるおそれがある。さらには、例えば用足しをするつもりで小便器の前に一定時間立っていたが、結局用足しをしないで小便器から離れた場合には、節水等の観点からは便器本体は汚れていないため洗浄水を流す必要はないが、従来の赤外線センサを用いた小便器洗浄システムの場合には、洗浄水は流れてしまう。このように、実際の小用の有無等の使用状態に適した動作が行えないことがあるという問題がある。
【０００７】
さらには、赤外線センサが露出していることからデザイン面からも違和感があった。また、使用者の有無により水を流すため、例えば、配水管が詰まっている場合であっても、一定量の洗浄水が流れてしまうため、便器本体外部へあふれてしまうというおそれがある。さらには、各使用者が用足しをした尿量を検知できないため常に一定の洗浄水を流しており、無駄が多かったし、当然のことながら、洗浄水の断水やでっぱなしを検知することはできないという問題点があった。
【０００８】
本発明は、上記の問題点に着目して成されたものであって、その目的とするところは、圧力センサで排尿の有無を検知できて、子供のように背が低くても動作し、赤外線センサのように手等をかざすことによる誤動作がなく、また、圧力センサの損傷を防止することができる小便器用洗浄システムを提供することにある。
【０００９】
【課題を解決するための手段】
上記の目的を達成するために、請求項１の発明に係る小便器用洗浄システムは、便器本体の底部に設けられて所定量の液体を一時貯溜するトラップ部と、前記便器本体に対して洗浄水を供給する洗浄水配管と、前記洗浄水配管に設けられた流量調整バルブと、前記トラップ部に貯溜された液体の圧力を検出する圧力センサと、前記流量調整バルブの開動作を制御する制御手段とを備えた小便器用洗浄システムであって、前記制御手段は、前記圧力センサの出力から出力される液面情報に基づいて排尿か否かを判断する波形判別手段を有し、その判断結果が排尿の場合には排尿量を算出し、この算出結果に基づき、前記流量調整バルブの開度と開時間の少なくとも一方を調整するようにしたことを特徴とする。
【００１０】
かかる構成により、用足しをすると、トラップ部に排尿した尿が溜まるために、液位が上昇する。すると、圧力センサがトラップ部内の液面変化を検出し、排尿されたことを検知する。よって、その検知結果に基づいて制御手段が流量調整バルブを開らき、洗浄水が流れる。このように圧力センサで排尿の有無を検知できるために、子供のように背が低くても動作し、赤外線センサのように手等をかざすことによる誤動作がなく、また、圧力センサは前記トラップ部に連結して設けられており、便器本体の内部に設置できるので、損傷を防止することができる。
【００１１】
また、上記の目的を達成するために、請求項２の発明に係る小便器用洗浄システムは、請求項１に記載の小便器用洗浄システムにおいて、前記圧力センサを前記トラップ部の横に配置して、前記圧力センサの圧力導入部を直接に前記トラップ部内に接続した。
【００１２】
かかる構成により、上記した請求項１の発明の作用と同様な作用を奏し得るばかりか、圧力センサの圧力導入部とトラップ部内を繋ぐ配管を必要としないためにコストを低減することができ、圧力センサの保守点検が容易になる。
【００１３】
また、上記の目的を達成するために、請求項３の発明に係る小便器用洗浄システムは、請求項１に記載の小便器用洗浄システムにおいて、前記圧力センサを前記トラップ部の下方に配置して、前記圧力センサの圧力導入部を直接に前記トラップ部内に接続した。
【００１４】
かかる構成により、上記した請求項１の発明の作用と同様な作用を奏し得るばかりか、圧力センサの圧力導入部とトラップ部内を繋ぐ配管を必要としないためにコストを低減することができし、圧力センサの保守点検が容易になる。
【００２１】
また、上記の目的を達成するために、請求項４の発明に係る小便器用洗浄システムは、請求項１又は請求項２又は請求項３に記載の小便器用洗浄システムにおいて、前記制御手段が、前記トラップ部又は前記便器本体内に溜まった液体の液位に基づいて、洗浄水供給系の異常の有無を検出する検出機能と、この検出機能の検出結果に基づいて警報を出力する警報手段とを備えた。
【００２２】
かかる構成により、上記した請求項１又は請求項２又は請求項３の発明の作用と同様な作用を奏し得るばかりか、検出機能がトラップ部又は前記便器本体内に溜まった液体の液位に基づいて、洗浄水供給系の異常の有無を検出し、この検出検出結果に基づいて警報手段が警報を出力することができる。
【００２３】
また、上記の目的を達成するために、請求項５の発明に係る小便器用洗浄システムは、請求項１に記載の小便器用洗浄システムにおいて、前記便器本体の天面部に、前記トラップ部内に連通する配管が接続された孔部を設け、前記圧力センサを、この圧力センサの圧力導入部を前記孔部にパッキンを介して着脱可能に挿入して前記便器本体の前記天面部に設け、前記天面部にカバーを設けて前記圧力センサを覆い隠したことを特徴とする。
【００２４】
かかる構成により、圧力センサで排尿の有無を検知できるために、子供のように背が低くても動作し、赤外線センサのように手等をかざすことによる誤動作がなく、また、圧力センサは便器本体の天面部に設けられており、カバーにより覆い隠されているために、損傷を防止することができる。
【００２５】
【発明の実施の形態】
以下、本発明の実施の形態を図面に基づいて説明する。
【００２６】
（実施の形態例１）
図１乃至図７に本発明の実施の形態例１を示す。
図１は本発明に係る小便器用洗浄システムの実施の形態例１を示す縦断面図である。
【００２７】
同図に示すように、尿を受ける前面解放された便器本体１の底面中央には、凹部２が形成してあり、その凹部２の中央には配水管３が一体に形成してある。そして、その配水管３の上端部３ａは、凹部２の底面２Ｂよりも上方に突出形成してある。そして、配水管３の上端部３ａには、下方に開口した蓋４が被せてある。そして、この凹部２、配水管３及び蓋４によりトラップ部５が構成してある。
【００２８】
前記トラップ部５は、凹部２内に液体が注入してくると、当初は、そのまま配水管３からは排出されず、凹部２内に液体（水）を貯溜する。凹部２に一定以上、液体が溜まると、それ以上の液体は配水管３を介して排出されるようになっている。すなわち、凹部２内に流入してきた液体は、蓋４の適宜位置に設けられた開口（図示せず）を介して蓋４内に流入し、その蓋４の内面と配水管３の外周面との間を入る。そして、液位が上昇して配水管３の上端部３ａよりも上方に達すると、配水管３、蓋４間に存在する液体が配水管３の上部開口より配水管３に流れ込み排出される。
【００２９】
また、便器本体１の内部天面には洗浄水配管７の先端部が接続してあり、洗浄水配管７の途中に流量調整バルブ８が配置してある。そして、流量調整バルブ８を開くと、洗浄水配管７の先端から便器本体１内に洗浄水が供給され、流量調整バルブ８を閉じると、便器本体１内への洗浄水の供給が停止される。
【００３０】
ここで本発明では、流量調整バルブ８を開いている時には、その開度を調整できるようにしている。このように開度を調整することにより、単位時間当たりに流れる洗浄水の流量を調整する。そして、その開度は、圧力センサ（微圧力センサユニット）１０から出力される制御信号に基づいて調整される。
【００３１】
前記トラップ部５の凹部２の周壁部２Ａには接続孔２０が形成してあり、この接続孔２０の下部は、凹部２の底面２Ｂと略同一平面内に位置している。そして、この接続孔２０に、圧力センサ１０が、その圧力導入管１３ａで接続してあり、この圧力センサ１０は、半導体圧力センサ部（微圧力センサ部）と、半導体圧力センサ部からの出力信号に対して所定の信号処理を行う信号処理回路とを備え、用足しがされているか否か、用足しがされた際の尿量や、異常の有無等を判別し、その判別結果に応じて流量調整バルブ８の開度もしくは開時間を決定し、その決定した開度もしくは開時間になるように信号処理を流量調整バルブ８に送るようになっている。
【００３２】
すなわち、圧力センサ１０は、図２に示すようにケース１４を有しており、このケース１４には前記圧力導入管１３ａが設けてある。この圧力導入管１３ａは微圧力センサ部１３の入力側に連通しており、この微圧力センサ部１３の出力側はハイパスフィルタ（ＨＰＦ）１５と設定比較回路１６のそれぞれの入力側に接続してある。このハイパスフィルタ（ＨＰＦ）１５は、細かい液面変化に基づく特徴量（圧力値に応じた信号）を抽出し、次段の波形判別回路１７に送るようにしてある。この波形判別回路１７では、与えられた圧力情報、すなわち液面情報（液位）に基づいて、用足しをしているか否かを判断すると共に、用足しをしている場合には、その尿量を計算し、その算出結果をバルブ制御回路１８に出力するようにしてある。
【００３３】
そして、バルブ制御回路１８は、与えられた尿量に関するデータに基づき、洗浄水の量を決定し、必要なバルブ開度もしくは開時間を求めて流量調整バルブ８に対して制御信号を出力するものである。すなわち、尿量が少ない場合には、洗浄水の量も少なくて良いので開度もしくは開時間を小さくし、逆に、尿量が多い場合には、洗浄水の量も多くすべく開度もしくは開時間を大きくするように決定する。そして、開度もしくは開時間の決定は、例えば、尿量と開度もしくは開時間の関係を対にしたテーブルを作成しておき、そのテーブルを参照することにより求めても良く、或いは両者の関係を演算式で表しておき、尿量を演算式に代入することにより求めるようにしても良く、種々の方式を取ることができる。
【００３４】
また、このような流量調整バルブ８に替えて、通常の開閉バルブ（開度の調整は不可）を用いても良い。この場合には、洗浄水を流している時間を調整することにより、尿量に応じて供給する総洗浄水量を変えるようにすればよい。
【００３５】
一方、設定比較回路１６では、現在の液位のデータ（圧力値）と、便器本体１から外部にあふれる液位とを比較し、溢れ出そうな場合には、異常信号をバルブ制御回路１８と警報出力回路１９に出力するようにしてある。そして、この設定比較回路１６の内部構成は基本的には比較器で構成できる。
【００３６】
つまり、現在の液位のデータは圧力と等価であり、その圧力に応じた電気信号が微圧センサ部１３から出力されるので、この出力信号を比較器の一方の入力端子に接続する。そして、便器本体１から溢れ出るときの液位、すなわち、圧力に基づく電気信号は分かっているので、それより一定のマージンだけ低い値を設定値として比較器の他方の入力端子に与えるようにする。これにより、センサ出力が設定値を終えた場合に比較器の出力が高レベルＨになり、異常信号を出力するようにすることができる。
【００３７】
そして、設定比較回路１６から異常信号を受けたバルブ制御回路１８は、溢れ出るのを防止すべく、流量調整バルブ８に対し、「開度＝０（バルブを閉じる）」旨の制御信号を発する。更に、設定比較回路１６から異常信号を受けた警報出力回路１９では、ブザーを鳴らしたり、遠隔地の監視室に対して有線、無線により警報信号を発し、「小便器が故障して溢れ出ている／溢れ出る恐れがある」等を通知するようにしてある。
【００３８】
また、上記した設定比較回路１６として、入力に対して並列に比較を複数設け、各比較器に与える設定値を異ならせることにより、液位に応じて段階的に警報を発することが可能である。そして、このように段階的に警報を出力することにより、液位が異常上昇しているが、溢れ出るまでには余裕がある場合には、バルブの開度を狭めて単位時間当たりの水量を現象させるようにし、更に液位が上昇した場合には、バルブを閉じるようにするなど、バルブの開度の調整も状態に応じて多様にできる。
【００３９】
そして、上記した波形判別回路１７の内部構造の一例を示すと、図３のようなものを用いることができる。すなわち、センサ出力信号（ハイパスフィルタ（ＨＰＦ後）の一例を示すと、図４の（Ａ）のような用足しの波形と、図４の（Ｂ）のような外乱信号とがある。
【００４０】
図４の（Ａ）に示すように、用を足しているときには、排尿が進むにつれてトラップ部５に尿が溜まるため、そのトラップ部５内の液位が上昇し、圧力も上昇するので、センサ出力も上昇する。なお、実験を繰り返し行ったところ、トラップ部５にすでに比較的液体（水）が溜まっている場合には、実線のような軌跡をとり、トラップ部５に液体が溜まっていない（蒸発している）場合には、破線のような軌跡をとることが分かった。いずれの場合も、０点位置から排尿を開始し、一定時間経過後に排尿を停止している。排尿終了間際や終了後の波形に差があるが、いずれの場合も排尿開始時に徐々に圧力（液位）が上昇しているという特徴は共通している。
【００４１】
また、図４の（Ｂ）に示すように、いたずらその他の外乱の場合には、トラップ部５の液面が揺れるものの、液位が上昇するわけではないので、出力波形は振動し、外乱が収まると下の液位（圧力）に戻る。そして、振動中は開始時の値（基準値）よりも低くなることがある。
【００４２】
そこで、波形判別回路１７にて、上記した図４の（Ａ）、（Ｂ）の２種類の状態を弁別し、図４の（Ａ）のように排尿と検出した場合には、その尿量を計測するようにしている。つまり、受けとった液面データ（ハイパスフィルタ（ＨＰＦ）１５の出力）から、サンプリング回路１７ａにて、一定のサンプリング間隔で具体的な検出値を取得する。そして、その結果を微分回路１７ｂを介して第１設定比較回路１７ｃに与える。
【００４３】
微分回路１７ｂの出力（微分値）が第１設定比較回路１７ｃの設定値より大きければスイッチＳ１を閉じて積分回路１７ｄの入力をオン作動させ、サンプリング回路１７ａの出力値を積分回路１７ｄにて積算する。そして、この積算は、微分回路１７ｂの出力（微分値）が、設定値以下になるまで続けられる。すなわち、排尿を開始すると、図４の（Ａ）のように液位上昇に伴いセンサ出力も上昇するので、微分回路１７ｂにより、その上昇を検知する。
【００４４】
つまり、第１設定比較回路１７ｃの設定値よりも積分値が大きくなった時が、排尿開始時（若干のタイムラグがある）となり、その後の液位の上昇は排尿によるものとみなされるので、センサ出力に応じたデータ（液位）を積分することにより、その時間での尿量が求められる。そして、微分値が設定値以下になると、図４の（Ａ）の３秒前後の排尿停止時とみなせるので、その時まで積算することにより、用足しをした総尿量が求められるのである。このようにした求めた尿量が、スイッチＳ２を介して外部に出力される。
【００４５】
なお、スイッチＳ１は常開接点であり、第１設定比較回路１７ｃの出力信号に基づいて閉じるようになっている。一方、スイッチＳ２は常閉接点で、通常は積分回路１７ｄの出力をそのまま出力している。そして、第２設定比較回路１７ｅにて液面データが外乱信号と判断した場合には、スイッチＳ２を開いて出力を停止すると共に、積分回路１７ｄの積分値をクリアするようにしてある。
【００４６】
そして、この第２設定比較回路１７ｅは、例えばウインドコンパレータにより構成することができる。すなわち、図４に示した各波形は、図５に示すように上下の設定値（閾値）Ｔｈ１、Ｔｈ２を適宜に選択すると、排尿に基づく波形（図５の（Ａ））は、２つの設定値Ｔｈ１、Ｔｈ２の間に存在するが、外乱に基づく波形（図５の（Ｂ））は、設定値Ｔｈ１、Ｔｈ２の範囲を越える。したがって、２つの設定値Ｔｈ１、Ｔｈ２をウインドコンパレータでの弁別レベルに設定すると、外乱波形の場合には、サンプリング回路１７ａの出力値は、少なくとも一方の設定値を越えることがあるので、外乱と判定でき、そのコンパレータの出力を検出信号とすることができる。
【００４７】
また、外乱波形か否かの判定は、上記したものに限ることはなく、例えば、図６に示すように波形の変化率の大きさに基づいて判別することができる。すなわち、図６の（Ａ）と（Ｂ）を比べると明らかなように、外乱波形の変化率（図中矢印の傾き・微分値）の邦画、増加、減少のいずれかの場合も大きい。そこで、例えば、微分回路１７ｂの出力を受け取ったり、或いは別途、微分回路を内蔵して微分値を求め、その微分値（正または負）を上記したようなウインドコンパレータなどを用いて弁別し、一定の値を越える時には、外乱波形と判別するようにしてもよい。
【００４８】
更に、図７に示すように波形をサンプリングし波形判別を行うこともできる。サンプリング回路１７ａからの出力は、例えば図７中白丸で示すようになる（図示の例では、サンプリングタイムを０．５秒としたが、実際には、もっと細かい間隔でデータを取得する）。図７から明らかなように、排尿開始時の値を基準値Ｋとした場合に、用足しの場合には、図７の（Ａ）のようにサンプリング値は徐々に上昇していくので、基準値Ｋよりは常に大きくなる。一方、図７の（Ｂ）のように、外乱の場合には、液面が揺れるため振動開始当初よりも低くなることがあり、サンプリング値が基準値Ｋより低くなることがある。したがって、積算開始から比較的短時間の間にはサンプリング値が基準値Ｋより低くなった場合には、外乱波形と判別するようにすることもできる。
【００４９】
上記のように構成すると、圧力センサ１０は使用者等から全く見えないため、悪戯ができなくなると共に、見た目が良くデザイン性に優れる。また、波形判別処理により液面変化と液位を測定し、液面変化より各使用者の尿量を計算し、洗浄水量を変化させ節水を行うことができる。また、液位データの異常上昇により配水管詰まりと判断し洗浄水量を減少させて外部への溢れを防止することができる。
【００５０】
さらに、センサ出力からとぎれのない液面変化があると、流量調整バルブ８の故障による水の出っぱなしと判断することができる。また、逆に全く変動を認識しない場合、洗浄水が出力されていない。詰まり、上水道管の詰まりと判断することもできる。このような判断をするための機能を付加すると、より正確な精密な状態判断ができるので好ましい。
【００５１】
換言すると、本例では、使用時間と液面の増加・減少量より尿量を計算し、流量調整バルブ８の開度及びまたは開閉時間を定めることになる。そして、必要以上に液位が上昇し圧力も上昇してきた場合には、配水管の詰まりと判断し、流量調整バルブ８の解放時間を短くしたり、流量調整バルブ８をとじる等の処理を取ることができる。そして、用足しがあったことを確認した後、流量調整バルブ８を開いても液面に変化が検知できない場合には、洗浄水の断水と判断し、警報を出すことができる。また、圧力センサ１０の圧力導入部（圧力導入管１３ａ）とトラップ部５内を繋ぐ配管を必要としないためにコストを低減することができし、圧力センサ１０の保守点検が容易になる。
【００５２】
（実施の形態例２）
図８に本発明の実施の形態例２を示す。
この実施の形態例２にあっては、圧力センサ１０がトラップ部５の下方に配設してある。すなわち、前記トラップ部５の凹部２の底面部２Ｂには接続孔３０が形成してあり、この接続孔３０に、圧力センサ１０が、その圧力導入管１３ａで接続してある。そして、他の構成は上記した実施の形態例１のものと同様であり、また、その作用も上記した実施の形態例１のものと同様であるために、同じ符号を付して説明を省略する。
【００５３】
（実施の形態例３）
図９乃至図１１に本発明の実施の形態例３を示す。
この実施の形態例３にあっては、便器本体１の天面部１Ａの右側には孔部３１が形成してあり、この孔部３１にはパッキン３２が嵌合してあり、また、孔部３１は配管１１の上端部が接続してある。この配管１１の下端部は、トラップ部５の凹部２の周壁部２Ａに開口するようにしてトラップ部５に取り付けてある。この配管１１の取付位置（トラップ部５の液体の取込口）は、平常時にトラップ部５内に溜まる液体の液位よりも下方に位置させてある。これにより、トラップ部５内の液体の一部が配管１１内に侵入し、トラップ部５の液位の昇降に追従して配管１１内の液位も昇降する。その結果、トラップ部５の液位と配管１１内の液位とは同じになる。
【００５４】
圧力センサは、上記した実施の形態例１ので述べた圧力センサ１０と略同じ構成であって、そのケース１に圧力導入管１３ａを突出させている。
【００５５】
また、便器本体１の天面部１Ａには洗浄水配管７の先端部が接続してあり、この洗浄水配管７は天面部１Ａの上を後方に配置してある。そして、洗浄水配管７の途中に流量調整バルブ８が配置してある。
【００５６】
そして、前記パッキン３２の上面部にＯリング３３を載せて、圧力導入管１３ａをパッキン３２の孔部３２Ａに挿入し、Ｏリング３３により液密を保持するようにすることで、圧力センサ１０が前記配管１１に接続してある。また、この圧力センサ１０の出力側は流量調整バルブ８の開閉制御部（図示せず）に配線により接続してあり、、圧力センサ１０から出力される制御信号に基づいて流量調整バルブ８の開度が調整されることは上記した実施の形態例１の場合と同様である。
【００５７】
そして、前記便器本体１の天面部１Ａの上面部にはカバー３４が着脱可能に装着してあり、このカバー３４によって、圧力センサ１０及び洗浄水配管７は覆い隠されている。このようにカバー３４により圧力センサ１０が覆い隠されているために、圧力センサ１０の損傷を防止することができる。
【００５８】
なお、上記した実施の形態例１、２において、圧力センサ１０の環境は有害雰囲気内にあって、すこぶる悪い。このために、圧力センサ１０としては、トラップ部５と直接或いは間接に連結して接続される部分をシリコン充填材等で有害雰囲気から防御する、電子回路部分においても、樹脂充填材等で充填することにより有害雰囲気の影響を最小限に抑えるという工夫が取られることが好ましい。
【００５９】
【発明の効果】
以上説明したように、請求項１の発明に係る小便器用洗浄システムによれば、便器本体の底部に設けられて所定量の液体を一時貯溜するトラップ部と、前記便器本体に対して洗浄水を供給する洗浄水配管と、前記洗浄水配管に設けられた流量調整バルブと、前記トラップ部に貯溜された液体の圧力を検出する圧力センサと、前記流量調整バルブの開動作を制御する制御手段とを備えた小便器用洗浄システムであって、前記制御手段は、前記圧力センサの出力から出力される液面情報に基づいて排尿か否かを判断する波形判別手段を有し、その判断結果が排尿の場合には排尿量を算出し、この算出結果に基づき、前記流量調整バルブの開度と開時間の少なくとも一方を調整するようにしたことにより、用足しをすると、トラップ部に排尿した尿が溜まるために、液位が上昇する。すると、圧力センサがトラップ部内の液面変化を検出し、排尿されたことを検知する。よって、その検知結果に基づいて制御手段が流量調整バルブを開き、洗浄水が流れる。このように圧力センサで排尿の有無を検知できるために、子供のように背が低くても動作し、赤外線センサのように手等をかざすことによる誤動作がなく、また、圧力センサは前記トラップ部に近接して設けられており、便器本体の内部に設置できるので、損傷を防止することができる。
【００６０】
また、請求項２の発明に係る小便器用洗浄システムによれば、請求項１に記載の小便器用洗浄システムにおいて、前記圧力センサを前記トラップ部の横に配置して、前記圧力センサの圧力導入部を直接に前記トラップ部内に接続したことにより、上記した請求項１の発明の効果と同様な効果を奏し得るばかりか、圧力センサの圧力導入部とトラップ部内を繋ぐ配管を必要としないためにコストを低減することができ、圧力センサの保守点検が容易になる。
【００６１】
また、請求項３の発明に係る小便器用洗浄システムによれば、請求項１に記載の小便器用洗浄システムにおいて、前記圧力センサを前記トラップ部の下方に配置して、前記圧力センサの圧力導入部を直接に前記トラップ部内に接続したことにより、上記した請求項１の発明の効果と同様な効果を奏し得るばかりか、圧力センサの圧力導入部とトラップ部内を繋ぐ配管を必要としないためにコストを低減することができし、圧力センサの保守点検が容易になる。
【００６５】
また、請求項４の発明に係る小便器用洗浄システムによれば、請求項１又は請求項２又は請求項３に記載の小便器用洗浄システムにおいて、前記制御手段が、前記トラップ部又は前記便器本体内に溜まった液体の液位に基づいて、洗浄水供給系の異常の有無を検出する検出機能と、この検出機能の検出結果に基づいて警報を出力する警報手段とを備えたことにより、上記した請求項１又は請求項２又は請求項３の発明の効果と同様な効果を奏し得るばかりか、検出機能がトラップ部又は前記便器本体内に溜まった液体の液位に基づいて、洗浄水供給系の異常の有無を検出し、この検出結果に基づいて警報手段が警報を出力することができる。
【００６６】
また、請求項５の発明に係る小便器用洗浄システムによれば、請求項１に記載の小便器用洗浄システムにおいて、便器本体の天面部に、トラップ部内に連通する配管が接続された孔部を設け、圧力センサを、この圧力センサの圧力導入部を前記孔部にパッキンを介して着脱可能に挿入して前記便器本体の前記天面部に設け、前記天面部にカバーを設けて圧力センサを覆い隠したことにより、圧力センサで排尿の有無を検知できるために、子供のように背が低くても動作し、赤外線センサのように手等をかざすことによる誤動作がなく、また、圧力センサは便器本体の天面部に設けられており、カバーにより覆い隠されているために、損傷を防止することができる。
【図面の簡単な説明】
【図１】本発明に係わる小便器用洗浄システムの実施の形態例１の縦断面図である。
【図２】同小便器用洗浄システムにおける圧力センサの構成説明図である。
【図３】同圧力センサにおける波形弁別回路の構成説明図である。
【図４】（Ａ）はセンサ出力信号である用足しに基づく波形図である。
（Ｂ）はセンサ出力信号である外乱信号の波形図である。
【図５】（Ａ）は波形弁別回路の動作原理を説明するためのセンサ出力信号である用足しに基づく波形図である。
（Ｂ）は波形弁別回路の動作原理を説明するためのセンサ出力信号である外乱信号の波形図である。
【図６】（Ａ）は波形弁別回路の動作原理を説明するためのセンサ出力信号である用足しに基づく波形図である。
（Ｂ）は波形弁別回路の動作原理を説明するためのセンサ出力信号である外乱信号の波形図である。
【図７】（Ａ）は波形弁別回路の動作原理を説明するためのセンサ出力信号である用足しに基づく波形図である。
（Ｂ）は波形弁別回路の動作原理を説明するためのセンサ出力信号である外乱信号の波形図である。
【図８】本発明に係わる小便器用洗浄システムの実施の形態例２の縦断面図である。
【図９】本発明に係わる小便器用洗浄システムの実施の形態例３の分解状態の斜視図である。
【図１０】同小便器用洗浄システムにおける圧力センサの取付構造の分解状態の説明図である。
【図１１】本発明に係わる小便器用洗浄システムの実施の形態例３の縦断面図である。
【符号の説明】
１  便器本体
５  トラップ部
７  洗浄水配管
８  流量調整バルブ
１０  圧力センサ
１３ａ  圧力導入管（圧力導入部）
【図１】
0003670436.tif 000002
【図２】
0003670436.tif 000003
【図３】
0003670436.tif 000004
【図４】
0003670436.tif 000005
【図５】
0003670436.tif 000006
【図６】
0003670436.tif 000007
【図７】
0003670436.tif 000008
【図８】
0003670436.tif 000009
【図９】
0003670436.tif 000010
【図１０】
0003670436.tif 000011
【図１１】
0003670436.tif 000012